(57)【要約】【課題】印刷用紙の印刷開始位置と製版済孔版原紙の印面開始位置とが一致するように制御することができる孔版印刷装置を提供すること。【解決手段】搬送ローラ３１、３２の搬送速度は、印刷ドラム１０の周速度より速い速度まで加速し、搬送モータ３５及び搬送ローラにより印刷用紙を搬送し、搬送した先端を用紙先端センサ検出手段６０で検出し、該搬送モータで搬送した量と実際搬送し検出した量を比較し、その送り量の差を補正後、用紙先端位置がドラム回転角度情報に基づいて製版済み孔版原紙の印面開始位置と合ったときに、該搬送ローラの搬送速度を該印刷ドラムの周速度と同等にする。【選択図】図２
2008055847.tif 000002
【特許請求の範囲】
【請求項１】
製版済孔版原紙が巻着され、所定の周速度で回転する印刷ドラムと、前記印刷ドラムの外表面に圧接されてニップを形成可能に設置されたプレスローラと、前記印刷ドラムのドラム回転角度情報を検出するドラム回転角度情報検出手段と、前記印刷用紙を搬送する搬送ローラと、前記搬送ローラによる前記印刷用紙の送り量や速度を制御駆動する搬送モータと、前記搬送ローラによる搬送途中の印刷用紙の先端を前記ニップ前で検出する用紙先端検出手段と、を備え、前記搬送ローラの周速度を、前記印刷ドラムの周速度より速い速度まで加速して前記印刷用紙を搬送し、前記用紙先端位置が製版済み孔版原紙の印面開始位置と合った場合に、前記搬送ローラの周速度を前記印刷ドラムの周速度と同等にして前記印刷用紙を前記ニップに向けて搬送する孔版印刷装置において、
前記用紙先端位置が前記製版済み孔版原紙の印面開始位置と合う前は、前記搬送ローラの周速度を、前記印刷ドラムの周速度より速い速度まで加速して前記印刷用紙を搬送し、この搬送途中で前記印刷用紙の先端を前記用紙先端センサ検出手段で検出した情報に基づき前記印刷用紙の送り量理論値と実際値とを比較し差がある場合にその送り量の差を補正し、前記用紙先端位置が前記ドラム回転角度情報に基づいて製版済み孔版原紙の印面開始位置と合った場合に、前記搬送ローラの周速度を前記印刷ドラムの周速度と同等にして前記印刷用紙を搬送することとし、
前記用紙先端位置が前記製版済み孔版原紙の印面開始位置と合う前は、前記搬送ローラの周速度と前記印刷ドラムの周速度との比が、前記印刷ドラムの周速度が下がるほど、前記搬送ローラの周速度が上がるように制御されることを特徴とする孔版印刷装置。
【請求項２】
製版済孔版原紙が巻着され、所定の周速度で回転する印刷ドラムと、前記印刷ドラムの外表面に圧接されてニップを形成可能に設置されたプレスローラと、前記印刷ドラムのドラム回転角度情報を検出するドラム回転角度情報検出手段と、前記印刷用紙を搬送する搬送ローラと、前記搬送ローラによる前記印刷用紙の送り量や速度を制御駆動する搬送モータと、前記搬送ローラによる搬送途中の印刷用紙の先端を前記ニップ前で検出する用紙先端検出手段と、を備え、前記搬送ローラの周速度を、前記印刷ドラムの周速度より速い速度まで加速して前記印刷用紙を搬送し、前記用紙先端位置が製版済み孔版原紙の印面開始位置と合った場合に、前記搬送ローラの周速度を前記印刷ドラムの周速度と同等にして前記印刷用紙を前記ニップに向けて搬送する孔版印刷装置において、
前記用紙先端位置が前記製版済み孔版原紙の印面開始位置と合うことにより前記印刷ドラムの周速度と前記搬送ローラの周速度が同等にされた後は、前記搬送モータは前記ドラム回転角度情報検出手段の出力信号より得られた前記ニップまでの残り距離と搬送モータで送られる用紙先端の前記ニップまでの残り距離を同等にするように、前記搬送モータがフィードバック制御されることを特徴とする孔版印刷装置。
【請求項３】
製版済孔版原紙が巻着され、所定の周速度で回転する印刷ドラムと、前記印刷ドラムの外表面に圧接されてニップを形成可能に設置されたプレスローラと、前記印刷ドラムのドラム回転角度情報を検出するドラム回転角度情報検出手段と、前記印刷用紙を搬送する搬送ローラと、前記搬送ローラによる前記印刷用紙の送り量や速度を制御駆動する搬送モータと、前記搬送ローラによる搬送途中の印刷用紙の先端を前記ニップ前で検出する用紙先端検出手段と、を備え、前記搬送ローラの周速度を、前記印刷ドラムの周速度より速い速度まで加速して前記印刷用紙を搬送し、前記用紙先端位置が製版済み孔版原紙の印面開始位置と合った場合に、前記搬送ローラの周速度を前記印刷ドラムの周速度と同等にして前記印刷用紙を前記ニップに向けて搬送する孔版印刷装置において、
前記用紙先端位置が前記製版済み孔版原紙の印面開始位置と合う前は、前記搬送ローラの周速度と前記印刷ドラムの周速度との比が、前記印刷ドラムの周速度が下がるほど、前記搬送ローラの周速度が上がるように制御され、
前記用紙先端位置が前記製版済み孔版原紙の印面開始位置と合うことにより前記印刷ドラムの周速度と前記搬送ローラの周速度が同等にされた後は、前記搬送モータは前記ドラム回転角度情報検出手段の出力信号より得られた前記ニップまでの残り距離と搬送モータで送られる用紙先端の前記ニップまでの残り距離を同等にするように、前記搬送モータがフィードバック制御されることを特徴とする孔版印刷装置。
【発明の詳細な説明】
【技術分野】
【０００１】
本発明は、製版済孔版原紙が巻着された印刷ドラムを用いて印刷用紙に印刷を施す孔版印刷装置に関するものであり、特に、印刷用紙の所望の位置に印刷が施されるように印刷用紙を搬送する孔版印刷装置に関する。
【背景技術】
【０００２】
従来、製版済孔版原紙が外周面に巻着されて回転する印刷ドラムと、この印刷ドラムに圧接されて回転するプレスローラとの間に印刷用紙を挿入し、印刷ドラム内のインクを製版済孔版原紙における孔から押し出し、インクを印刷用紙に転写させて印刷を行う孔版印刷装置が提案されている。
【０００３】
上記のような孔版印刷装置においては、給紙台から繰り出された印刷用紙が搬送ローラにより印刷ドラムに向かって搬送され、印刷ドラムとプレスローラとの接点（ニップ）まで到達したとき印刷が開姶される。したがって、印刷用紙の印刷範囲と製版済孔版原紙の印面範囲の位置を合わせるためには、印刷用紙の印刷開始位置が上記接点に到達したとき、印刷ドラムに巻着された製版済孔版原紙の印面開始位置も上記接点に到達するようにする必要がある。
【０００４】
そこで、たとえば、印刷用紙を搬送ローラ（所謂レジストローラ）に当接させた状態で待機させ、印刷ドラムが所定位置まで回転した時点で搬送ローラを予め設定された回転速度で回転開始させることにより、印刷用紙の印刷開始位置と製版済孔版原紙の印面開始位置とを一致させる方法が提案されている。しかし、この方法では、搬送ローラによる搬送途中でスリップが生じたり、印刷用紙が搬送ローラに当接した状態で発生する印刷用紙のたるみにばらつきがあるため、上記のように搬送ローラを予め設定された回転速度で回転するように制御したのでは、常に印面開始位置と印刷開始位置とを一致させることは困難である。
【０００５】
そこで、搬送ローラと上記接点との間に搬送途中の印刷用紙の先端を検出するレジストセンサを設け、このレジストセンサにより印刷用紙の先端が検出された時点における印刷ドラムのドラム回転角度情報を得、このドラム回転角度情報に基づいて、製版済孔版原紙の印面開始位置が上記接点に到達するまでの時間と印刷用紙の印刷開始位置がレジストセンサの位置から上記接点に到達するまでの時間とが合うように搬送ローラの回転速度を制御する方法が提案されている。
【０００６】
一方、上記のような孔版印刷装置においては、印刷開始時、つまり印刷用紙が印刷ドラムとプレスローラとの接点まで到達したときに印刷用紙の搬送速度と印刷ドラムの周速度とを一致させる必要がある。
【０００７】
そこで、理想的な状態で印刷用紙が搬送された際にレジストセンサにより印刷用紙の先端が検出されたタイミングを理想値として予め取得し、印刷ドラムが所定位置まで回転した時点から上記理想値まで搬送ローラを所定の加速度で回転させた後、一旦、一定の回転速度で搬送ローラを回転させ、その後再び印刷用紙の搬送速度と印刷ドラムの周速度とが同じになるまで所定の加速度で搬送ローラを回転させるとともに、上記一定の回転速度の回転により印刷用紙が搬送されている間に印刷用紙の先端をレジストセンサにより検出し、その検出タイミングの上記理想値からの遅れに応じて再び加速を開始するタイミングを早くするように補正し、印刷用紙の印刷開始位置と製版済孔版原紙の印面開始位置とを一致させる方法が提案されている。
【０００８】
一例として、一対の送りローラの下流側に用紙先端検出センサを設けて、前記一対のローラを通過してきた印刷用紙の先端を検出し、その時点での版胴の回転位置との関係から印刷用紙の送りの遅速を検出し、この検出結果に応じて印刷用紙の送りにかかるモータの回転を加速或いは減速して印刷部において印刷用紙の先端とマスタの先端部分とが一致するように制御する技術がある（例えば特許文献１参照）。
【０００９】
他の一例として、レジストモータを、レジストセンサによる印刷用紙先端検出時点Ｎ１までは一定の加速度で駆動制御し、Ｎ１から所定の期間ＦＧｘは一定の回転速度で駆動制御し、所定の期間ＦＧｘ経過後は再び一定の加速度で駆動制御してレジストローラによる印刷用紙の搬送速度が印刷ドラムの周速度に一致するようにするとともに、印刷用紙先端検出時点における印刷ドラムのドラム回転角度情報に基づいて、印刷用紙の印刷開始位置と製版済孔版原紙の印面開始とが印刷ドラムとプレスローラとの接点において一致するように前記所定の期間ＦＣｘを算出する技術がある（例えば特許文献２参照）。
【００１０】
さらに他の一例として、本体給紙制御装置は、バンク側給紙時において、用紙の先端が用紙クランパに当接するまでは第１の用紙搬送速度ｖｐ１で用紙の先端を送り出すようにレジストモータを制御し、用紙の先端が用紙クランパに当接・保持されてから印圧開始の前までは、第２の用紙搬送速度ｖｐ２で用紙を送り出すように該レジストモータを制御し、印圧開始の直前では、第３の用紙搬送速度ｖｐ３で用紙を送り出すように該レジストモータを制御し、印圧開始の後では、レジスローラが再び略第２の用紙搬送速度ｖｐ２で用紙を送り出すように該レジストモータを制御する技術がある（例えば特許文献３参照）。
【００１１】
上記の方法の一つを特許文献２の図１４を転載した図５を用いてより具体的に説明する。なお、図５における縦軸は印刷用紙の搬送速度と印刷ドラムの周速度との比であり、横軸は印刷ドラム回転角度情報であり、具体的にはドラムエンコーダで検出されるパルス信号のカウント数である。また、印刷ドラム回転角度情報がＰ１のときにレジストローラの回転が開始され、Ｇの時点で製版済孔版原紙の印面開始位置がプレスローラまで到達するように印刷ドラムの回転が制御される。
【００１２】
上記の方法においては、まず、理想的に印刷用紙が搬送された場合において、レジストセンサにより印刷用紙の先端が検出される時点Ｐ２(理想値)と、再加速を開始する時点Ｐ３と、再加速を停止する時点Ｐ４が予め設定されている。そして、レジストセンサによる印刷用紙の先端の検出時点がＰ５まで遅れた場合には、その遅れ量に応じて再加速する時点がＰ３からＰ６に早められるとともに、その分再加速を停止する時点も早められる。上記のように補正することにより印刷用紙が遅れて搬送された場合においても印刷用紙の印刷開始位置と製版済孔版原紙の印面開始位置とが一致するように制御することができる。
【００１３】
しかしながら、（１）特許文献１及び２の記載の方法は、搬送ローラの速度を上げてドラム周速に一致させる方法であり、印刷用紙の搬送速度を上げることにより搬送負荷が大きくなる。これに伴い、搬送ローラがスリップしやすくなる。また、画像位置が理想位置よりずれるおそれがある。
（２）特許文献２に関しては、印刷用紙の印刷開始位置と製版済孔版原紙の印面開始位置とが一致してからは、印刷ドラムとプレスローラの接点までは、印刷ドラムの回転速度を検出してその速度と同等の速度で動作させている。しかし印刷ドラムは一定速で回転していない。プレスローラが印刷ドラムに接触する場合とか、環境等によって印刷ドラムの周速度は速くなったり遅くなったりする。その印刷ドラムの速度を検出し、速度変化を測定し、搬送ローラヘの速度変更しても、１００％追従は難しい。まして印刷ドラムの速度ムラ(ワウフラ)が大きくなればなるほどズレも大きくなる。
【００１４】
【特許文献１】特許第３４９２８３２号公報（請求項１及び段落００６３参照）
【特許文献２】特開２００６−１０３１７１号公報（要約及び請求項１参照）
【特許文献３】特開２０００−１５８７８０号公報（要約及び請求項１参照）
【発明の開示】
【発明が解決しようとする課題】
【００１５】
本発明は、上記事情に鑑み、上記のような孔版印刷装置において、印刷用紙の印刷開始位置と製版済孔版原紙の印面開始位置とを印刷ドラムとプレスローラとのニップ位置で高精度に一致するように制御することができる孔版印刷装置を提供することを課題とする。
【課題を解決するための手段】
【００１６】
本発明は、前記課題を達成するため以下の構成とした。
請求項１に記載の発明では、製版済孔版原紙が巻着され、所定の周速度で回転する印刷ドラムと、前記印刷ドラムの外表面に圧接されてニップを形成可能に設置されたプレスローラと、前記印刷ドラムのドラム回転角度情報を検出するドラム回転角度情報検出手段と、前記印刷用紙を搬送する搬送ローラと、前記搬送ローラによる前記印刷用紙の送り量や速度を制御駆動する搬送モータと、前記搬送ローラによる搬送途中の印刷用紙の先端を前記ニップ前で検出する用紙先端検出手段と、を備え、前記搬送ローラの周速度を、前記印刷ドラムの周速度より速い速度まで加速して前記印刷用紙を搬送し、前記用紙先端位置が製版済み孔版原紙の印面開始位置と合った場合に、前記搬送ローラの周速度を前記印刷ドラムの周速度と同等にして前記印刷用紙を前記ニップに向けて搬送する孔版印刷装置において、前記用紙先端位置が前記製版済み孔版原紙の印面開始位置と合う前は、前記搬送ローラの周速度を、前記印刷ドラムの周速度より速い速度まで加速して前記印刷用紙を搬送し、この搬送途中で前記印刷用紙の先端を前記用紙先端センサ検出手段で検出した情報に基づき前記印刷用紙の送り量理論値と実際値とを比較し差がある場合にその送り量の差を補正し、前記用紙先端位置が前記ドラム回転角度情報に基づいて製版済み孔版原紙の印面開始位置と合った場合に、前記搬送ローラの周速度を前記印刷ドラムの周速度と同等にして前記印刷用紙を搬送することとし、前記用紙先端位置が前記製版済み孔版原紙の印面開始位置と合う前は、前記搬送ローラの周速度と前記印刷ドラムの周速度との比が、前記印刷ドラムの周速度が下がるほど、前記搬送ローラの周速度が上がるように制御されることとした。
請求項２に記載の発明では、製版済孔版原紙が巻着され、所定の周速度で回転する印刷ドラムと、前記印刷ドラムの外表面に圧接されてニップを形成可能に設置されたプレスローラと、前記印刷ドラムのドラム回転角度情報を検出するドラム回転角度情報検出手段と、前記印刷用紙を搬送する搬送ローラと、前記搬送ローラによる前記印刷用紙の送り量や速度を制御駆動する搬送モータと、前記搬送ローラによる搬送途中の印刷用紙の先端を前記ニップ前で検出する用紙先端検出手段と、を備え、前記搬送ローラの周速度を、前記印刷ドラムの周速度より速い速度まで加速して前記印刷用紙を搬送し、前記用紙先端位置が製版済み孔版原紙の印面開始位置と合った場合に、前記搬送ローラの周速度を前記印刷ドラムの周速度と同等にして前記印刷用紙を前記ニップに向けて搬送する孔版印刷装置において、前記用紙先端位置が前記製版済み孔版原紙の印面開始位置と合うことにより前記印刷ドラムの周速度と前記搬送ローラの周速度が同等にされた後は、前記搬送モータは前記ドラム回転角度情報検出手段の出力信号より得られた前記ニップまでの残り距離と搬送モータで送られる用紙先端の前記ニップまでの残り距離を同等にするように、前記搬送モータがフィードバック制御されることとした。
請求項３に記載の発明では、製版済孔版原紙が巻着され、所定の周速度で回転する印刷ドラムと、前記印刷ドラムの外表面に圧接されてニップを形成可能に設置されたプレスローラと、前記印刷ドラムのドラム回転角度情報を検出するドラム回転角度情報検出手段と、前記印刷用紙を搬送する搬送ローラと、前記搬送ローラによる前記印刷用紙の送り量や速度を制御駆動する搬送モータと、前記搬送ローラによる搬送途中の印刷用紙の先端を前記ニップ前で検出する用紙先端検出手段と、を備え、前記搬送ローラの周速度を、前記印刷ドラムの周速度より速い速度まで加速して前記印刷用紙を搬送し、前記用紙先端位置が製版済み孔版原紙の印面開始位置と合った場合に、前記搬送ローラの周速度を前記印刷ドラムの周速度と同等にして前記印刷用紙を前記ニップに向けて搬送する孔版印刷装置において、前記用紙先端位置が前記製版済み孔版原紙の印面開始位置と合う前は、前記搬送ローラの周速度と前記印刷ドラムの周速度との比が、前記印刷ドラムの周速度が下がるほど、前記搬送ローラの周速度が上がるように制御され、前記用紙先端位置が前記製版済み孔版原紙の印面開始位置と合うことにより前記印刷ドラムの周速度と前記搬送ローラの周速度が同等にされた後は、前記搬送モータは前記ドラム回転角度情報検出手段の出力信号より得られた前記ニップまでの残り距離と搬送モータで送られる用紙先端の前記ニップまでの残り距離を同等にするように、前記搬送モータがフィードバック制御されることとした。
【発明の効果】
【００１７】
請求項１に記載の発明では、搬送モータの回転速度上限が制限されている場合でも、印刷ドラムの周速度が低速になるほど相対的に高速となる搬送モータの回転により、印刷ドラムの回転速度ムラの影響を受けることが少ないところの短い動作時間で用紙先端位置と製版済み孔版原紙の印面開始位置とを合わせることができる。
請求項２に記載の発明では、ドラム回転角度情報検出手段の出力信号より得られたニップまでの残り距離と搬送モータで送られる用紙先端のニップまでの残り距離が同等になるように制御されるため、印刷用紙の印刷開始位置と製版済孔版原紙の印面開始位置とがニップ位置で合う。
請求項３に記載の発明では、搬送モータの回転速度上限が制限されている場合でも、印刷ドラムの周速度が低速になるほど相対的に高速となる搬送モータの回転により、印刷ドラムの回転速度ムラの影響を受けることが少ない、短い動作時間で用紙先端位置と製版済み孔版原紙の印面開始位置とを合わせ、その後において、ドラム回転角度情報検出手段の出力信号より得られたニップまでの残り距離と搬送モータで送られる用紙先端のニップまでの残り距離が同等になるように制御されるため、印刷用紙の印刷開始位置と製版済孔版原紙の印面開始位置とがニップ位置で合わせることができる。
【発明を実施するための最良の形態】
【００１８】
前記特許文献３では、レジストモータを圧胴クランパ角度位置まで、圧胴(ドラム)の周速より速く回し、圧胴クランパ位置で、圧胴と同じ周速にするのに対して、本発明は、ドラムニップ前までドラム周速より速く回転させ、その後ドラム周速と同等にする。
【００１９】
以下、図面を参照して本発明の孔版印刷装置の一実施形態について詳細に説明する。図１は本孔版印刷装置の概略構成を示す図、図２は本孔版印刷装置の駆動制御系を示すブロック図である。
【００２０】
本孔版印刷装置は、図１に示すように、円筒形状をした印刷ドラム１０と、印刷ドラム１０の外表面に圧接されこの印刷ドラム１０の回転軸と平行な回転軸に回転可能に支持され、印刷ドラムに対して接離可能に構成されたプレスローラ１１と、給紙台(図示省略)に載置された印刷用紙Ｓ１を印刷ドラム１０が１回転する毎に１枚ずつ繰り出して送り出す呼出コロ２１、分離コロ２２、分離パット２３を備えた１次給紙部２０と、１次給紙部２０から繰り出された印刷用紙Ｓ１を印刷ドラム１０とプレスローラ１１との間に挿入する搬送ローラ(以下、レジストローラという。)３１、３２およびガイド板３３を備えた２次給紙部３０と、印刷ドラム１０とプレスローラ１１との問に挟圧搬送され印刷が施された印刷用紙Ｓ１を排紙台(図示省略)に排紙する排紙搬送部４０として排紙ローラ４１、４２および排紙ベルト４３が備えられている。
【００２１】
印刷ドラム１０はベルトなどの伝達手段を介してドラムモータ(図示省路)により所定の周速度で矢印Ａ方向に回転するものであり、印刷ドラム１０の回転軸上には、図２に示すように、印刷ドラム１０のドラム回転角度情報を検出するドラムエンコーダ５１および光センサ５２を備えたドラム回転角度情報検出手段５０が設けられている。
【００２２】
ドラム回転角度情報検出手段５０は、ドラムエンコーダ５１および光センサ５２によりパルス信号を検出し、そのパルス信号を印刷ドラム１０のドラム回転角度情報として後述する制御手段１００に出力するものである。さらに、図２に示すように、印刷ドラム１０の外周面の特定位置に突起(以下、フィラーという。)１２を設け、装置本体側に（突起１２を検出することにより印刷ドラム１０の回転基準位置を検出する）光学センサ(以下、ＨＰセンサという。)１３が設けられている。
【００２３】
レジストローラ３１、３２はそれぞれの軸両端部にて歯車を介して噛合することにより、互いに逆向きに連動して回転するように構成されており、また、レジストローラ３１、３２の近傍には、これらを回転させるための搬送モータ(以下、レジストモータという。)３５が設置されている（図２参照）。レジストモータ３５はステッピングモータであり、速度や送り量を制御することができる。
【００２４】
また、図１および図２に示すように、レジストローラ３１、３２とプレスローラ１１との間には、レジストローラ３１、３２により搬送された印刷用紙Ｓ１の先端を検出する用紙先端検出手段６０（以下、レジストセンサという。）が設けられている。レジストセンサ６０としては、透過型や反射型のフォトセンサを利用するようにすればよい。
【００２５】
また、本孔版印刷装置は、図２に示すように、レジストセンサ６０により検出された用紙先端検出情報と、ドラム回転角度情報検出手段５０により検出したドラム回転角度情報をもとに、レジストモータ３５を駆動制御するモータ制御手段１００を備えている。光学センサ１３の検出情報は制御手段１００に入力されるようになっている。
【００２６】
本発明では、用紙先端位置が、印刷ドラム１００に巻着された製版済孔版原紙の印面開始位置と合う前は、レジストローラ３１、３２の周速度（印刷用紙Ｓ１の搬送速度）を、印刷ドラム１０の周速度より速い速度まで加速して印刷用紙Ｓ１を搬送し、この搬送途中で印刷用紙Ｓ１の先端をレジストセンサ１３で検出した情報に基づき印刷用紙Ｓ１の送り量理論値と実際値とを比較し差がある場合にその送り量の差を補正し、用紙先端位置がドラム回転角度情報に基づいて製版済み孔版原紙の印面開始位置と合わせるようにしている。
【００２７】
一例として、印刷ドラム１０の回転速度は、３０、６０、７５、９０、１２０、１３５ｒｐｍのそれぞれで印刷できるようになっている。これらの回転速度による印刷ドラムの周速度よりも速い速度で印刷用紙Ｓ１が搬送されるようにレジストモータ３５を駆動させ、印刷ドラム１０とプレスローラ１１との接点Ｐ（ニップ。以下では、ドラム接点Ｐという。）前で用紙先端位置と印面開始位置とを合わせている。レジストローラ３１、３２の周速（印刷用紙の搬送速度）が印刷ドラム１０の周速度よりも速ければ速いほど、接点Ｐ前までに、用紙先端位置と印面開始位置とを合わせやすくなる。
【００２８】
例えば、印刷ドラム１０について印面開始位置が、ドラム接点Ｐまであと１００ｍｍとし、印刷ドラム１０の周速度が１ｍｍ／ｍｓの場合、印面開始位置がドラム接点Ｐに到達するまでの所要時間は１００ｍｓである。
かかる場合に、レジストローラ３１、３２について、そのニップ位置からドラム接点Ｐまで１００ｍｍとし、これらレジストローラ３１、３２の周速度が１．２ｍｍ／ｍｓ（印刷ドラムの線速度の１．２倍）とした場合は、レジストローラ３１、３２のニップ位置から印刷用紙の先端位置がドラム接点Ｐに到達するまでの所要時間は１００／１．２＝８３ｍｓとなる。
【００２９】
以上の条件で、印刷用紙の先端位置をドラム接点Ｐ前で印面開始位置に合わせるには、印面開始位置がドラム回転角度情報に基づき、ドラム接点Ｐまであと８３ｍｍとなる前にレジストローラ３１、３２から印刷用紙Ｓ１の搬送を開始すればよい。
【００３０】
レジストローラ３１、３２の周速度が印刷ドラム１００の周速度の２倍の２ｍｍ／ｍｓの場合になると、レジストローラ３１、３２のニップ位置から印刷用紙の先端位置がドラム接点Ｐに到達するまでの所要時間は１００／２＝５０ｍｓしかかからない。
この場合、印面開始位置がドラム接点Ｐまであと５０ｍｍとなる前にレジストローラ３１、３２から印刷用紙Ｓ１の搬送を開始すればよい。
【００３１】
これらのことから、レジストローラ３１、３２の周速度が印刷ドラム１００の周速度よりも速いほど、搬送開始から短い時間で印面開始位置と印刷用紙の先端位置とを合わせることができるといえる。印刷ドラム１００については、制御開始からより少ない回転量で印刷用紙の先端位置が印面開始位置に合う。つまり、レジストローラ３１、３２による印刷用紙の搬送開始時期を従来よりも遅らせることができ、遅れた時間だけ差し引かれた短い時間に相当する印刷ドラムの回転量で印面開始位置が印刷用紙先端位置と合うことから、印刷ドラム１００の回転速度のムラの影響が少なくなる。
【００３２】
例えば、印面開始位置がドラム接点Ｐまであと８３ｍｍの位置でレジストローラ３１、３２から印刷用紙Ｓ１の搬送を開始するよりも、印面開始位置がドラム接点Ｐまであと５０ｍｍの位置で印刷用紙Ｓ１の搬送を開始する方が、３３ｍｍ分、回転速度ムラの影響はない。
【００３３】
以上より、レジストローラ３１、３２の周速は印刷ドラム１００の周速度よりも速ければよい。しかし、レジストローラ３１、３２の周速を速くしようとした場合、その駆動源であるレジストモータ３５が問題となる。
前記したとおり、印刷ドラム１００は、３０、６０、７５、９０、１２０、１３５ｒｐｍの６段のそれぞれの各回転速度で印刷でき、これらの回転速度に対応する周速度で回転される。例えば、レジストローラ３１、３２を駆動するレジストモータ３５の６段の回転速度を、印刷ドラム１００の最低回転速度である３０ｒｐｍの１倍速から２倍速の１３５ｒｐｍ＝２７０ｒｐｍに対応する回転速度に変更しようとすると、現状の９倍の速度まで可変できるステッピングモータが必要になり、非常に高額な部品となってしまう。
【００３４】
レジストモータ３５において、最低段である３０ｒｐｍの１倍速に対応する回転速度は制御上必要であるので、１３５ｒｐｍに対応する回転速度を下げることとなる。現実的には最低段の１．４倍速が限界である。
【００３５】
よって、レジストモータ３５の高速域は最低段の１．４倍速で、低速域は２倍又は３倍と、低速になるほど、周速比が大きくなるように設定する。
つまり、用紙先端位置が製版済み孔版原紙の印面開始位置と合う前は、レジストローラ３１、３２の周速度と印刷ドラム１００の周速度との比が、印刷ドラム１００の周速度が下がるほど、レジストローラ３１、３２の周速度が上がる周速比特性に従い制御されるようにした。
【００３６】
これにより、レジストモータの回転速度上限が制限されている場合でも、印刷ドラムの周速度が低速になるほど相対的に高速となるレジストモータの回転により、印刷ドラムの回転速度ムラの影響を受けることが少ないところの短い動作時間で用紙先端位置と製版済み孔版原紙の印面開始位置とを合わせることができる。レジストモータは最低段の１．４倍速程度の現実的可能性のある速度となし得る。
【００３７】
以下、用紙先端位置と印面開始位置とを合わせるための方法を例示する。
１次給紙部２０により１枚分離して送り出された印刷用紙はレジストローラ３１、３２のニップ部に先端部を突き当てた状態で待機しているが、ドラム回転角度情報検出手段５０の情報をもとに、上記のレジストモータ３５が回転開始するとこの回転に応じてレジストローラ３１、３２も回転を開始し、待機状態にある印刷用紙Ｓ１を挟持してドラム接点Ｐに向けて、図１における矢印Ｂ方向に印刷用紙を搬送する。
ここで、レジストローラ３１、３２による搬送速度を、印刷ドラム１０の周速度より速い速度まで加速して印刷用紙を搬送し、用紙先端位置が製版済み孔版原紙の印面開始位置と合ったときに、該レジストローラの周速度を該印刷ドラムの周速度と同等にして該印刷用紙を搬送する。
レジストローラ３１、３２からドラム接点Ｐまでの距離Ｌ１は、レイアウト上固定である。一例として、Ｌ１：１２５.６６ｍｍとする。
【００３８】
前に述べたが、レジストモータ３５はステッピングモータであり、後で説明するが１ステツプ(パルス)は０.３１４１５ｍｍに設定している（０.３１４１５９ｍｍ／ｓｔｅｐ）。
以上より、レシストローラ３１、３２からドラム接点Ｐまで送るためには、Ｌ１：１２５．６６ｍｍ／０．３１４１５９（ｍｍ／ｓｔｅｐ）≒４００ｓｔｅｐの送り量が必要となる。
【００３９】
印刷ドラム１０の外周面の特定位置にはフィラー１２が設けられているが、説明し易いようにフィラー１２の端部位置は、搬送される用紙先端と合うべき位置、つまり、印刷ドラムに巻着された製版済孔版原紙の印面開始位置でもある。通常はフィラー１２はドラム停止位置に設定してあり、用紙先端位置は停止からある角度ずれて設置されている。
【００４０】
印刷ドラム１０の外周におけるＨＰセンサ１３からドラム接点Ｐまでの距離は、印刷ドラム１０の外径及びＨＰセンサ１３の設置位置で決まる。本実施の形態では、印刷ドラム外径１８０ｍｍでＨＰセンサ１３の設置位置をドラム接点Ｐより反対側の１８０°に設置してあり、フィラー１２がＨＰセンサ１３を通過してからは、
外径１８０×円周率π×（１８０°／３６０°）＝２８２.７４ｍｍ進んだ位置でドラムの接点に達することになる。
【００４１】
ドラム回転角度情報検出手段５０によるドラムエンコーダ５１のドラム角度検出の単位、最小ステップ角０．２°となっている。印刷ドラム１０が０．２°回転すると距離は０．３１４１５９ｍｍである。このように、ドラム回転角度情報検出手段５０の最小ステップ角における印刷ドラム外周の距離０．３１４１５９ｍｍはレジストモータ３５の１ステップの送り量０.３１４１５ｍｍと同等にしてある。或いはドラムエンコーダ５１のドラム角度検出単位は０．２°の倍数（０．４°、０．８°）の設定でも特に問題はない。
このように、両者の送り量を同等或いは倍数の関係にすることで、印刷用紙の印刷開始位置と製版済孔版原紙の印面開始位置とを合わせる制御が容易となる。
【００４２】
ＨＰセンサ１３からドラム接点Ｐまでのドラム周面に沿う距離はドラムエンコーダ５１のスリット（パルス）は、１８０°／０．２°＝９００パルスが相当する。
つまり、フィラー１２の端部がＨＰセンサ１３から９００パルス送られると上記接点に達する。
【００４３】
レジストローラ３１、３２から送り出された用紙の先端とフィラー１２の位置を合わせる制御を以下に示す。
制御手段１００は、フィラー１２がＨＰセンサ１３を基点として移動開始してからのドラムエンコーダ５１スリツト数を測定し、ドラム接点Ｐまであと幾つのスリット数で０になるかを減算により算出していく。例えば、ＨＰセンサ１３がＯＮ時は接点まであと９００パルスであり、ＨＰセンサ１３から１パルス進んだら接点まであと８９９パルス、同様に２パルス→８９８パルス、・・・・最後は９００パルス→残りOパルスとなる。
一方、レジストモータ３５においても、同様にレジストローラ３１、３２の接点を基点としてドラム接点Ｐまで４００パルスであり、レジストモータ３５のステップ数をカウントし、ドラム接点Ｐまであと幾つのスリット数で０になるかを減算により算出していく。
【００４４】
例えば、レジストローラ３１、３２の接点に印刷用紙先端が位置しているときはドラムの接点まであと４００パルスであり、該レジストローラ３１、３２の接点から１パルス進んだらあと３９９パルス、同様に「２パルス→３９８」・・・最後は「４００パルス→残り０」となる。
【００４５】
レジストセンサ６０の機能は、搬送途中の印刷用紙Ｓ１の先端を検出する。この検出情報は制御手段１００に入力される。制御手段はこの検出情報に基づき、印刷用紙Ｓ１のレジストローラ３１、３２の接点からレジストセンサ６０までの送り量理論値と実際値とを比較し差を算出する。さらに差がある場合にこの差がなくなるように印刷用紙の送り量を制御する。
【００４６】
例えば、レジストローラ３１、３２の接点からレジストセンサ６０まではＬ２：２２ｍｍに設置している。これに相当する送り量理論値はレジストローラ３１、３２の接点から２２ｍｍ/０．３１４１５９（ｍｍ／ｓｔｅｐ）≒７０パルスになる。しかし搬送に際してのレジストローラと印刷用紙間のスベリ等（特にレジストローラ起動時におけるスベリ）により送り量実際値が減少し、印刷用紙Ｓ１をレジストローラ３１、３２の接点からレジストセンサ６０まで送るのにレジストモータ３５で８０パルスの送り量が必要である場合、上記スベリによるロス分の１０パルス遅れていることになる。
【００４７】
そこで、制御手段１００における前記のレジストモータ減算中に、上記スベリによるロス分の１０パルス加算し、合計送りパルスを４１０パルスにして送り量を補正する。しかし、１０パルス加算したことにより、レジストセンサ６０の位置での残パルスが所期の値（理論値である９００−７０＝３３０）と比べ４００−８０＝３２０と１０パルス減少してしまうので、１０パルス加算し、レジストセンサ６０の時点で残パルスを３３０に設定変更する。そして再度３３０パルスから１パルス(送りパルス)減算していく。元来、レジストセンサ６０の位置からドラム接点Ｐまでは３３０パルスなので、レジストセンサ６０の位置から減算しても問題はない。
別例として、レジストローラ３１、３２による搬送速度を、印刷ドラム１０の周速度より速い速度まで加速して印刷用紙を搬送し、該印刷用紙の搬送途中でレジストセンサ６０が該印刷用紙の先端を検出したその検出時点から、該レジストセンサ６０の位置からの所期の値（３３０パルス）より１パルスずつ減算していき残パルスが０となったとき、つまり、用紙先端位置が製版済み孔版原紙の印面開始位置と合ったときに、搬送ローラの周速度を印刷ドラムの周速度と同等にして前記印刷用紙を搬送するようにすれば、前記例のような設定パルスの変更制御は不要である。
【００４８】
印刷ドラム１０の回転ムラによる影響を小さくするため、レジストモータ３５による用紙搬送速度は、印刷ドラム１０の周速より速くしている。ここでは印刷ドラム１０の周速の１．２倍とする。ドラムエンコーダ５１の１パルスとレジストモータ３５の１パルスの送り量は同等であるから、レジストモータ３５が１．２倍となると、単位時聞当たりの送り量の関係は「ドラムエンコーダ５１の１パルス:レジストモータ３５の１．２パルス」となる。
つまり、単位時間(１ｍｓ)でドラムのエンコーダで１パルスずつ減算する場合はレジストモータは１．２パルスずつ減算する。
【００４９】
ドラムエンコーダ５１が減算開始時９００パルスから１パルス／ｍｓ減算していくと９００ｍｓかかって残パルス０となる。一方、レジストモータ３５が４００パルスから１．２パルス／ｍｓで減算を開始すると、３３３．３ｍｓ（４００／１．２)で残パルス０になる。
【００５０】
例えば、ドラムエンコーダ５１が５６７パルス減算時、つまり、残パルスが９００−５６７＝３３３の時にレジストモータ３５の減算をスタートすれば、ドラム接点Ｐにてフィラー１２と用紙先端位置が合うことになる（図３参照）。
【００５１】
図３において、ドラムエンコーダ５１のパルス減算特性は右下がり実線で示す直線の勾配で示す線図で示され、レジストモータ３５のパルス減算特性は破線で示すようにドラムエンコーダのパルス特性線図よりも急勾配な右下がり破線で示す直線で示される。
【００５２】
理論上は、上記のようにドラムエンコーダ５１の残パルス５６７の時点でレジストモータの減算を開始することで、用紙先端をドラム接点Ｐで一致させることができるが、実際には、印刷ドラムの回転ムラなど不測の変動要素があるので理論と通りにはならない場合がある。
【００５３】
そこで、用紙先端がドラム接点Ｐに至る前に、用紙先端がフィラー１２（印面開始位置）と合う時点で、レジストモータの速度を印刷ドラムと同速にする制御を行う。これにより、既に用紙先端と印面開始位置とが位置的に合っている状態で両者同速で送られるので印刷ドラム１０とプレスローラ１２との接点で確実に当接合致させることができる。印刷ドラムの速度ムラを考慮すると、上記同速制御の時点は用紙先端がドラム接点Ｐに至る直前位置（回転ムラの影響を排除できる限度でできるだけ接点に近いタイミング）がよい。
【００５４】
フィラー１２と用紙先端がどのようになると合ったと判断するかを説明する。
前にも述べたが、ドラムエンコーダ５１及びレジストローラ３５はドラム接点Ｐまでの残りのパルス（距離）を計算している（減算している）。図４におけるドラムエンコーダ欄、レジストモータ欄のそれぞれに示す「接点までの残りのパルス」を比較したとき、ドラムエンコーダ残りパルスとレジストモータ残りパルスの関係が、「ドラムエンコーダ残りパルス数＜レジストモータ残りパルス数」から「ドラムエンコーダ残りパルス数≧レジストモータ残りパルス数」に変化したとき（※１）、フィラー１２（印面開始位置）と用紙先端が合ったと判断する。さらに※２でレジストローラ３１、３２の周速を印刷ドラム１０の周速と同等にする。
【００５５】
フィラー１２（印面開始位置）と用紙先端が合ったと判断した場合は、レジストモータ３５による印刷用紙の送り速度を印刷ドラム１０の周速度と同等にする。すなわち、レジストモータ３５による印刷用紙の速度を印刷ドラムの１．２倍速→１．０倍速する。用紙搬送負荷は最高速から減速するので小さく、レジストローラのスリップも少ないので、フィラー１２（印面開始位置）と用紙先端が合いやすくなる。
【００５６】
印刷ドラム１０は、制御上は一定速度で回しているが、条件によって、例えば印刷ドラム１０に対して接離可能なプレスローラ１１が当接した時や、環境等で回転ムラが発生する。理論上は既に説明したが減算開始から５６７パルス後にレジストモータ３５を回転すれば、接点で合うが、印刷ドラム１０が回転ムラで１．１倍位で回っていると接点ではなくそれ以降で合う計算となる。しかし印刷ドラムとプレスローラとが圧接すると用紙の搬送速度は印刷ドラムの速度になってしまい、レジストモータを１．２倍速にしても追いつくことはできない。確実に用紙先端とフィラー１２（印面開始位置）を一致させるには、接点の直前でこれらを合わせることが望ましい。つまり、ドラムエンコーダの減算式が０になる前にドラム接点Ｐまでのドラムエンコーダの残りパルスとレジストモータの残りパルス数を同等にしなければならない。
【００５７】
ドラムエンコーダ５１及びレジストモータ３５の減算式が０になってもドラム接点Ｐまでの残りのパルスが同等にならなかった場合、その原因はレジストモータ３５の駆動開始時が遅いためである。そのときは自動的にレジストローラ３１、３２の動作タイミング（印刷用紙送り出し開始時）を早くする。常に減算式が０になる前にドラムエンコーダ５１及びレジストモータの残りパルスが同等になるようにレジストモータの駆動開始時を変える。または、レジストモータの速度を１．２倍速ではなく１．３倍速にアップさせレジストローラ３１、３２を増速する。
【００５８】
また反対に減算式が例えば１５０パルス（４７．１２ｍｍ）時で、残パルス（残りの距離）が同等になった場合は、ドラム接点Ｐよりもかなり早めに用紙先端とフィラー１２（印面開始位置）とが合っている。この場合はレジストモータ３５の回転開始時を遅くする。またはレジストモータの速度を１．２倍速ではなく１．１倍速にダウンさせる。
フィラー１２（印面開始位置）と用紙先端の合う位置は、ドラム接点Ｐの直前、つまり、３〜３０ｍｍ（１０〜１００パルス）以内が望ましい。
【００５９】
用紙先端位置をフィラー１２（印面開始位置）より３．１４ｍｍ（１０パルス）後にする場合も対応できる（画像位置調整）。その場合には、用紙先端位置は必ずＨＰセンサ１３から９００パルスであり、かつ、フィラー１２より１０パルス後ということは、フイラー１２がＨＰセンサをＯＮにしてから１０パルスでその後９００パルスとなるので、計９１０パルス。つまり、９１０パルス後がドラム接点Ｐである。９１０パルスが減算して０になる前にドラム接点Ｐの直前（１０〜１００パルス以内）にドラムエンコーダ残りパルスとレジストモータ残りパルスが同等になるように制御する。
【００６０】
また、レジストモータ３５による印刷用紙の速度を印刷ドラムの１．２倍速→１．０倍速にした後は、常に残りのパルスが同等になるようにレジストモータ３５を動作させ、印刷用紙Ｓ１を搬送する。
【００６１】
従来の制御は、印刷ドラム１００の回転速度を測定してその速度に合わせてレジストモータ３５を動作させたが、速度検知だけでは、ズレが発生してしまう。確実なのは、残りのパルス位置を検知することである。速度のみの制御では、印刷ドラム１００の回転速度を検知しながら、印刷ドラム１００の回転速度が速くなったら、レジストモータ３５も同じ速度に上げて、反対に遅くなったら遅くするようにしている。
【００６２】
しかし、速度制御して→フィードバック制御し→レジストモータ速度変更、となると必ず、ずれが発生していた。
そこで、印刷ドラム１００の回転速度が速くなりその後遅くなる場合は、印刷ドラム１００の速度を検知し、速度が上がったらレジストモータ３５も速く動作させ、そして、残りパルスと同等になってから、レジストモータ３５を遅くする制御を行う。残りパルスを同等にする制御をすると、フィラー１２と印刷用紙先端はほとんどずれない。
【００６３】
このように、用紙先端位置が製版済み孔版原紙の印面開始位置と合うことにより印刷ドラム１００の周速度とレジストローラ３１、３２の周速度が同等にされた後は、レジストモータ３５はドラム回転角度情報検出手段５０の出力信号より得られたドラム接点Ｐまでの残り距離とレジストモータ３５で送られる用紙先端のドラム接点Ｐまでの残り距離を同等にするように、レジストモータ３５がフィードバック制御される。以上により、印刷用紙の印刷開始位置と製版済孔版原紙の印面開始位置とがドラム接点Ｐで合うことになる。
【図面の簡単な説明】
【００６４】
【図１】本発明の孔版印刷装置の概賂構成図である。
【図２】図１に示した孔版印刷装置の駆動制御系を示すブロック図である。
【図３】図１に示した孔版印刷装置のドラムエンコーダパルスとレジストモータパルスとの関係を示した図である。
【図４】図１に示した孔版印刷装置のドラムエンコーダパルスとレジストモータパルスとの関係を示した表である。
【図５】従来技術を説明した図である。
【符号の説明】
【００６５】
１０  印刷ドラム
１１  プレスローラ
１２  突起（フィラー）
１３  光学センサ（ＨＰセンサ）
３１、３２  搬送ローラ（レジストローラ）
３５  レジストモータ
５０  ドラム回転角度情報検出手段
５１  ドラムエンコーダ
６０  用紙先端検出手段（レジストセンサ）
１００  制御手段
Ｐ  印刷ドラムとプレスローラとの接点（ドラム接点）
Ｓ１  印刷用紙
【図１】
2008055847.tif 000003
【図２】
2008055847.tif 000004
【図３】
2008055847.tif 000005
【図４】
2008055847.tif 000006
【図５】
2008055847.tif 000007